(57)【要約】【課題】本発明は口紅等の充填が容易にできるとともに、使用状態での口紅等と皿部材との結合強度が十分に得られ、口紅等の脱落事故を確実に防止することができる口紅等の収納容器を得るにある。【解決手段】筒部材内を上下移動する皿部材の、使用時の上死点よりも上方に口紅等を充填する場合に位置させることができる口紅等の収納容器において、前記皿部材を口紅等の充填位置から使用時の位置へ移動させた場合に、該皿部材に充填された口紅等を前記筒部材の内壁面によって押し圧される口紅等の押し圧機構とで口紅等の収納容器を構成している。【選択図】  図２
2006051051.tif 000002
【特許請求の範囲】
【請求項１】
筒部材内を上下移動する皿部材の、使用時の上死点よりも上方に口紅等を充填する場合に位置させることができる口紅等の収納容器において、前記皿部材を口紅等の充填位置から使用時の位置へ移動させた場合に、該皿部材に充填された口紅等を前記筒部材の内壁面によって押し圧される口紅等の押し圧機構を設けたことを特徴とする口紅等の収納容器。
【請求項２】
口紅等の押し圧機構は皿部材にＵ字状あるいはチャンネル状に形成された少なくとも１個以上の切欠部で形成された舌片と、この舌片の遊端部あるいは遊端部寄りの外側面に形成された突起と、皿部材が口紅等が充填される部位に位置した場合に、該皿部材の突起が位置する部位の筒部材の内壁面に形成された逃げ溝あるいは逃げ凹部等の逃げ部とで構成されていることを特徴とする請求項１記載の口紅等の収納容器。
【請求項３】
口紅等の押し圧機構は皿部材の上部に形成した複数個の切り欠きで形成された複数個の舌片と、この複数個の舌片の少なくとも１個以上の遊端部を外方へ曲げ形成あるいは遊端部の外側面に形成された突起等の押し圧部と、皿部材が口紅等が充填される部位に位置した場合に、該皿部材の押し圧部が位置する部位の筒部材の内壁面に形成された逃げ溝あるいは逃げ凹部等の逃げ部とで構成されていることを特徴とする請求項１記載の口紅等の収納容器。
【発明の詳細な説明】
【技術分野】
【０００１】
本発明は口紅、リップクリーム、スチックアイシャドウ、スチックファンデーション等の棒状化粧品を収納する口紅等の収納容器に関する。
【背景技術】
【０００２】
従来の筒部材内を上下移動する皿部材の使用時の上死点よりも上方に口紅等を充填する場合に位置させることができる口紅等の収納容器が考えられている。
【０００３】
しかしながら、このような構成の口紅等の収納容器は皿部材と口紅とは充填時の押し圧による嵌合で一体化しているため、十分な結合強度が得られず、使用中に口紅の脱落事故が生じやすいという欠点があった。
【特許文献１】実用新案第２５７６３７９
【発明の開示】
【発明が解決しようとする課題】
【０００４】
本発明は以上のような従来の欠点に鑑み、口紅等の充填が容易にできるとともに、使用状態での口紅等と皿部材との結合強度が十分に得られ、口紅等の脱落事故を確実に防止することができる口紅等の収納容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は筒部材内を上下移動する皿部材の、使用時の上死点よりも上方に口紅等を充填する場合に位置させることができる口紅等の収納容器において、前記皿部材を口紅等の充填位置から使用時の位置へ移動させた場合に、該皿部材に充填された口紅等を前記筒部材の内壁面によって押し圧される口紅等の押し圧機構とで口紅等の収納容器を構成している。
【発明の効果】
【０００７】
以下の説明から明らかなように、本発明にあっては次に列挙する効果が得られる。
【０００８】
（１）筒部材内を上下移動する皿部材の、使用時の上死点よりも上方に口紅等を充填する場合に位置させることができる口紅等の収納容器において、前記皿部材を口紅等の充填位置から使用時の位置へ移動させた場合に、該皿部材に充填された口紅等を前記筒部材の内壁面によって押し圧される口紅等の押し圧機構とで構成されているので、口紅等の皿部材への充填は従来と同様に行なうことができる。
したがって、口紅等の充填作業を容易に行なうことができる。
【０００９】
（２）前記（１）によって、口紅等を充填して皿部材を使用状態の位置へ移動させると、口紅等の押し圧機構によって、皿部材と口紅等とを強固に押し圧固定することができる。
したがって、従来のように使用中に皿部材から口紅等が脱落する事故を確実に防止することができる。
【００１０】
（３）前記（１）によって、口紅等の押し圧機構を設けるだけでよいので、容易に製造することができる。
【００１１】
（４）請求項２、３も前記（１）〜（３）と同様な効果が得られるとともに、口紅等の押し圧機構が部品点数を増すことなく、簡単に設けることができる。
したがって、安価に製造することができる。
【発明を実施するための最良の形態】
【００１２】
以下、図面に示す本発明を実施するための最良の形態により、本発明を詳細に説明する。
【００１３】
図１ないし図７に示す本発明を実施するための最良の第１の形態において、１は本発明の口紅等の収納容器で、この口紅等の収納容器１は筒部材２内を上下移動する皿部材３の、使用時の上死点Ｘよりも上方へ口紅等の充填する場合に位置させることができる２段繰り出し機構を有する口紅等の収納容器本体４と、この口紅等の収納容器本体４の皿部材３を、口紅等の充填位置から使用時の位置へ移動させた場合に、該皿部材３に充填されたリップクリーム、スチックアイシャドウ、スチックファンデーション、口紅等５を前記筒部材２の内壁面によって押し圧されるように設けられた口紅等の押し圧機構６とで構成されている。
【００１４】
前記口紅等の収納容器本体４は円筒状のハカマ部材７と、このハカマ部材７の上部と一体形成された外周部にリング状の凹部８および上部に切り欠き部９が形成されたねじ部１０を有する螺旋部材１１と、この螺旋部材１１のねじ部１０と螺合する下端部に、通常時のストッパー１２および充填時のストッパー１３が形成されたねじ棒１４と、このねじ棒１４の上端部に底面の中央部が一体形成あるいは固定された下部外周部に係合片１５、１５を有する皿部材３と、この皿部材３の係合片１５、１５と係合する縦溝１７、１７が内壁面に形成された、前記螺旋部材１１のリング状の凹部８に回動可能にカシメられる筒部材２と、前記筒部材２の外周部を覆うキャップ１８とで構成されている。
【００１５】
前記口紅等の押し圧機構６は前記皿部材３の上部寄りの部位にＵ字状あるいはチャンネル状に形成された少なくとも１個以上、本実施の形態では対向する部位に２個の切欠部１９、１９で形成された舌片２０、２０と、この舌片２０、２０の遊端部あるいは遊端部寄りの外側面に形成された突起２１、２１と、前記皿部材３が口紅等が充填される部位に位置した場合に、該皿部材３の突起２１、２１が位置する部位の筒部材２の内壁面に逃げ溝で形成した逃げ部２２とで構成されている。
なお、本発明の実施の形態では舌片２０、２０の先端部を内側方向に曲げ、該曲げ先端部が皿部材３の内壁面と一致し、舌片２０、２０の先端部側が外方に位置する突起でもよい。
【００１６】
上記構成の口紅等の収納容器１は図４に示すように、ハカマ部材７と筒部材２とを持って回動し、皿部材３を使用時の上死点Ｘに位置させる。
しかる後、ハカマ部材７内に押し上げ棒２３を挿入して、図５に示すようにねじ棒１４を介して皿部材３を充填位置へ押し上げる。
この状態では皿部材３の舌片２０、２０の突起２１、２１は筒部材２の逃げ部２２に位置する。
【００１７】
次に、成型された口紅等５を図６および図７に示すように、皿部材３内に押し込み嵌合させるとともに、皿部材３を使用時の上死点Ｘ位置へ下降させる。
この状態では皿部材３の舌片２０、２０の突起２１、２１は筒部材２の内壁面と接触し、舌片２０、２０を皿部材３の内部、すなわち充填された口紅等５を押し圧する状態となる。
【００１８】
この状態からハカマ部材７と筒部材２とを持って回動して、口紅等５を筒部材２内へ収納して通常の使用状態にするが、この使用状態では常に舌片２０、２０で充填された口紅等５を押し圧する状態となり、使用中に皿部材３から口紅等５が脱落するのを確実に阻止することができる。
［発明を実施するための異なる形態］
【００１９】
次に、図８ないし図２０に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図８ないし図１０に示す本発明を実施するための第２の形態において、前記本発明を実施するための最良の第１の形態と主に異なる点は、皿部材３Ａの上部に複数個の切欠部１９Ａを形成して複数個の舌片２０Ａ、２０Ａを形成し、該舌片２０Ａ、２０Ａの上部を外方へ曲げ形成するとともに、上端部寄りの外壁面に突起２１、２１を形成し、筒部材２に内径を大きくした逃げ部２２Ａを形成した口紅等の押し圧機構６Ａを用いた点で、このように形成された口紅等の押し圧機構６Ａを用いて構成した口紅等の収納容器１Ａにしても、前記本発明を実施するための最良の第１の形態と同様な作用効果が得られるとともに、口紅等の充填作業をより楽に行なうことができる。
【００２１】
図１１ないし図１３に示す本発明を実施するための第３の形態において、前記本発明を実施するための第２の形態と主に異なる点は、舌片２０Ａ、２０Ａの上端部寄りの内壁面に突起２１、２１を形成した口紅等の押し圧機構６Ｂを用いた点で、このように形成された口紅等の押し圧機構６Ｂを用いて構成した口紅等の収納容器１Ｂにしても、前記本発明を実施するための第２の形態と同様な作用効果が得られる。
【００２２】
図１４ないし図１６に示す本発明を実施するための第４の形態において、前記本発明を実施するための最良の第１の形態と主に異なる点は、皿部材３の上部に複数個の切欠部１９Ａを形成して複数個の舌片２０Ｂ、２０Ｂを形成し、該舌片２０Ｂ、２０Ｂの上端部寄りの外壁面に突起２１、２１を形成した口紅等の押し圧機構６Ｃを用いた点で、このように形成された口紅等の押し圧機構６Ｃを用いて構成した口紅等の収納容器１Ｃにしても、前記本発明を実施するための最良の第１の形態と同様な作用効果が得られる。
【００２３】
図１７ないし図２０に示す本発明を実施するための第５の形態において、前記本発明を実施するための最良の第１の形態と主に異なる点は使用時と充填時の係
止部２４、２５が軸心方向の切り欠き部２６に開口するように形成された内筒部材２７、この内筒部材２７の外周部を覆う螺旋溝２８、２８が形成された螺旋部材２９、この螺旋部材２９の外周部を覆う外筒部材３０とを備える２段繰り出し機構を用いた口紅等の収納容器本体４Ａと、皿部材３Ｂの対向する部位に２個の薄肉の凹部３１、３１を形成し、該薄肉の凹部３１、３１のほぼ中央部に皿部材３Ｂの外表面よりわずかに外方に突出する突起３２、３２を用いた口紅等の押し圧機構６Ｄとを用いた点で、このように構成した口紅等の収納容器１Ｄにしても、前記本発明を実施するための最良の第１の形態と同様な作用効果が得られる。
【００２４】
なお、前記本発明を実施するための形態では押し上げ棒を用いる２段繰り出し機構を用いたが、本発明はこれに限らず、２段繰り出し機構であれば現在使用されているものであれば、どんな機構でもよい。
また、前記本発明を実施するための形態では口紅等の押し圧機構６、６Ａ、６Ｂ、６Ｃとして、複数個の舌片を用いるものについて説明したが、本発明はこれに限らず、１個の舌片を用いるものであっても良い。
【産業上の利用可能性】
【００２５】
本発明は口紅等の収納容器を製造する産業で利用される。
【図面の簡単な説明】
【００２６】
【図１】本発明を実施するための最良の第１の形態の断面図。
【図２】本発明を実施するための最良の第１の形態の分解説明図。
【図３】本発明を実施するための最良の第１の形態の皿部材の説明図。
【図４】本発明を実施するための最良の第１の形態の皿部材を上死点に位置させた断面図。
【図５】本発明を実施するための最良の第１の形態の皿部材を充填部位に位置させた断面図。
【図６】本発明を実施するための最良の第１の形態の口紅等の充填状態の説明図。
【図７】本発明を実施するための最良の第１の形態の口紅等が充填されて押し込まれた状態の断面図。
【図８】本発明を実施するための第２の形態の断面図。
【図９】本発明を実施するための第２の形態の分解説明図。
【図１０】本発明を実施するための第２の形態の口紅等の充填時の説明図。
【図１１】本発明を実施するための第３の形態の断面図。
【図１２】本発明を実施するための第３の形態の分解説明図。
【図１３】本発明を実施するための第３の形態の口紅等の充填時の説明図。
【図１４】本発明を実施するための第４の形態の断面図。
【図１５】本発明を実施するための第４の形態の分解説明図。
【図１６】本発明を実施するための第４の形態の口紅等の充填時の説明図。
【図１７】本発明を実施するための第５の形態の断面図。
【図１８】本発明を実施するための第５の形態の分解説明図。
【図１９】本発明を実施するための第５の形態の口紅等の充填時の説明図。
【図２０】本発明を実施するための第５の形態の皿部材の説明図。
【符号の説明】
【００２７】
１、１Ａ、１Ｂ、１Ｃ、１Ｄ：口紅等の収納容器、
２：筒部材、                      ３、３Ａ：皿部材、
４、４Ａ：口紅等の収納容器本体、  ５：口紅等、
６、６Ａ、６Ｂ、６Ｃ、６Ｄ：口紅等の押し圧機構、
７：ハカマ部材、                  ８：リング状の凹部、
９：切り欠部、                    １０：ねじ部、
１１：螺旋部材、                  １２：通常時のストッパー、
１３：充填時のストッパー、        １４：ねじ棒、
１５：係合片、
１７：縦溝、                      １８：キャップ、
１９、１９Ａ：切欠部、            ２０、２０Ａ、２０Ｂ：舌片、
２１：突起、                      ２２、２２Ａ：逃げ部、
２３：押し上げ棒、                ２４：係止部、
２５：係止部、                    ２６：切り欠き部、
２７：内筒部材、                  ２８：螺旋溝、
２９：螺旋部材、                  ３０：外筒部材、      
３１：薄肉の凹部、                ３２：突起。
【図１】
2006051051.tif 000003
【図２】
2006051051.tif 000004
【図３】
2006051051.tif 000005
【図４】
2006051051.tif 000006
【図５】
2006051051.tif 000007
【図６】
2006051051.tif 000008
【図７】
2006051051.tif 000009
【図８】
2006051051.tif 000010
【図９】
2006051051.tif 000011
【図１０】
2006051051.tif 000012
【図１１】
2006051051.tif 000013
【図１２】
2006051051.tif 000014
【図１３】
2006051051.tif 000015
【図１４】
2006051051.tif 000016
【図１５】
2006051051.tif 000017
【図１６】
2006051051.tif 000018
【図１７】
2006051051.tif 000019
【図１８】
2006051051.tif 000020
【図１９】
2006051051.tif 000021
【図２０】
2006051051.tif 000022